(57)【要約】      （修正有）【課題】遊技機の盤面の前面に取り付けることが可能であり、薄型化となる入賞装置を提供する。【解決手段】釘が設けられる盤面上に遊技球の発射を行う遊技機に設けられ、遊技球を開閉動作により受け入れる入賞装置１０であって、入賞装置１０を盤面に取り付ける取付盤２０と、遊技球を受け入れる状態のときに、盤面側に退避し、駆動部Ｌ１により開閉動作を行う開閉部４０と、長手方向の軸を取付盤２０と平行とするように設けた駆動部Ｌ１と、を備える。【選択図】図４
2019195403.tif 000002
【特許請求の範囲】
【請求項１】
釘が設けられる盤面上に遊技球の発射を行う遊技機に設けられ、前記遊技球を開閉動作により受け入れる入賞装置であって、
前記入賞装置を前記盤面に取り付ける取付盤と、
前記遊技球を受け入れる状態のときに、前記盤面側に退避し、駆動部により開閉動作を行う開閉部と、
長手方向の軸を前記盤面と平行とするように設けた前記駆動部と、
を備えたことを特徴とする入賞装置。
【請求項２】
前記開閉部にて受け入れた前記遊技球を、前記盤面側に前記遊技球を流入させる複数の球通路を形成したケース部を備えたことを特徴とする請求項１に記載の入賞装置。
【請求項３】
前記開閉部が閉塞したときに、前記ケース部の上方を前記遊技球の通過をさせる傾斜を形成した遊技球通過路を備えたことを特徴とする請求項２に記載の入賞装置。
【請求項４】
前記駆動部の上下への動作に伴って、前記開閉部の下方の軸を中心に回転移動させるリンク部を備えたことを特徴とする請求項１乃至請求項３の何れか一項に記載の入賞装置。
【請求項５】
前記駆動部の下方であって、長手方向の軸を前記取付盤と平行とするように設け、前記球通路のうち一の前記球通路を閉塞動作を行う第２の駆動部と、前記第２の駆動部の左右への動作に伴って、前記球通路の開閉動作を行い、前記球通路のうち他の前記球通路へ落下した前記遊技球を誘導する傾斜を形成した傾斜誘導路と、を備えたことを特徴とする請求項１乃至請求項４の何れか一項に記載の入賞装置。
【請求項６】
長手方向の軸を前記取付盤と平行とするように設け、前記球通路を形成し、転動してきた前記遊技球を受け入れ、前記遊技球を検知する球検知センサを備えたことを特徴とする請求項１乃至請求項５の何れか一項に記載の入賞装置。
【請求項７】
前記ケースは、前記開閉部と対面する位置に、切り欠いた切り欠き部を備えたことを特徴とする請求項１乃至請求項６の何れか一項に記載の入賞装置。
【発明の詳細な説明】
【技術分野】
【０００１】
本発明は、パチンコ機等の遊技機に使用される遊技球を受け入れる入賞装置に関する。
【背景技術】
【０００２】
従来からパチンコ機に代表される遊技機には盤面に釘等と同じように、前面に取り付けられ、遊技球を受け入れる入賞装置がある。この入賞装置は、大当たり時に開放され遊技球を受け入れ多くの獲得球を遊技者に払い出すために設けられている。
大当たり時に特別な状態となった場合に、盤面の右に遊技球を発射し大量の出球を獲得する遊技が多くなっている。
【０００３】
例えば、特許文献１には、特別図柄が第１特定態様となった場合に第１利益状態を、第２特定態様となった場合に特定入球手段が開放する第２利益状態を夫々発生し、特定入球 手段に入球した遊技球が特定領域に案内された場合に第３利益状態を発生する遊技機で、特定入球手段は、略上向きに開口する特定入球口の上側で開閉可能な特定開閉部材を備え、特定開閉部材は、閉状態のときには左右方向に傾斜した状態で遊技領域内に位置し、開状態のときには遊技領域から退避して、特定入球口への遊技球の入球を許容すると共にその上側に乗っていた遊技球を下側に落下させる。
【０００４】
また、大当たり時までの演出時に大きな可動体を動かし、遊技を盛り上げるような提案がなされている。例えば特許文献２には、構造が簡単で、狭い設置スペースに複数の可動体を配設させることができ、可動役物全体としての動きの多彩性や躍動感、期待感等を遊技者に与えることができる可動体として、駆動装置の回転を制御する制御部と、駆動装置の回転運動を直線運動に変換する変換機構に接続され、変換機構の直線運動に伴って、待機位置と演出位置との間で往復動可能な装飾体と、装飾体に揺動可能に支持される左手部と、装飾体が演出位置にあるときに左手部に当接して左手部を装飾体に対して揺動させる当接部を備え、前記制御部は、駆動装置の正逆回転の切り換えタイミングを制御して、 演出位置における装飾体の往復動の周期を変更することにより、左手部の揺動周波数を制御することができる装置が提案されている。
【０００５】
このように、遊技機の盤面上には演出を盛り上げる可動体と入賞装置を設置するスペースが必要であるが、この盤面上や盤面の奥のスペースは限られ、できる限り入賞装置も小型化か若しくは薄型化となる入賞装置が要望されてきている。
【先行技術文献】
【特許文献】
【０００６】
【特許文献１】特開２０１７−２２５６７７号公報
【特許文献２】特開２０１５−１８０３３１号公報
【発明の開示】
【発明が解決しようとする課題】
【０００７】
しかしながら、従来の入賞装置では、上下方向の大きさもさることながら薄型化したものではなく、盤面の裏側まで使用したような大型の入賞装置が殆どであるため、その奥に可動体を設けることになってしまい、パチンコ機自体の厚みも増し、更に重量が増えるという問題が発生していた。
【０００８】
本発明はこのような実状に鑑みてなされたものであり、本発明の課題は、遊技機の盤面の前面に取り付けることが可能であり、薄型化となる入賞装置を提供することにある。
【課題を解決するための手段】
【０００９】
上記課題を解決するために、釘が設けられる盤面上に遊技球の発射を行う遊技機に設けられ、前記遊技球を開閉動作により受け入れる入賞装置であって、前記入賞装置を前記盤面に取り付ける取付盤と、前記遊技球を受け入れる状態のときに、前記盤面側に退避し、駆動部により開閉動作を行う開閉部と、長手方向の軸を前記取付盤と平行とするように設けた前記駆動部と、を備えたことを特徴とする。
【発明の効果】
【００１０】
以上の特徴により、本発明の入賞装置は、盤面側の厚みが薄いので、前面から取り付けることが可能である。また、本発明の入賞装置は、特に盤面側の厚みが薄いため、盤面の裏面に可動体を取り付けるスペースを確保することが可能である。
【図面の簡単な説明】
【００１１】
【図１】実施形態の入賞装置が遊技機に取り付けられている様子を示す斜視図である。
【図２】実施形態の入賞装置を現した斜視図である。
【図３】実施形態の入賞装置を現した斜視図である。
【図４】実施形態の入賞装置の主要な部品を現す分解斜視図である。
【図５】実施形態の入賞装置上に遊技球が転動する様子を示す概要図である。
【図６】実施形態の入賞装置内で遊技球が転動する様子を示す概要図である。
【図７】実施形態の入賞装置の一部を切断し、内部を現した説明図である。
【図８】実施形態の入賞装置の開閉部の一部を切断し、側面方向から現した概要図である。
【図９】実施形態の入賞装置内で遊技球が転動する様子を示す概要図である。
【図１０】実施形態の入賞装置内で遊技球が転動する様子を示す概要図である。
【図１１】他の実施形態のパチンコ機に取り附けられる入賞装置を現した斜視図である。
【発明を実施するための形態】
【００１２】
以下、本発明の実施形態について図面を参照して説明する。なお、本発明は以下の記述に限定されるものではなく、本発明の要旨を逸脱しない範囲において定義変更可能である。
【００１３】
図１は、実施形態の入賞装置１０がパチンコ機１に取り付けられている様子を示す斜視図である。本発明の入賞装置１０を遊技機であるパチンコ機１に入賞装置１０を取り付けた状態を図１を参照し説明する。
パチンコ機１は、遊技中に始動口７に入賞させることにより、センター役物９に設けられる液晶表示器６内にて、図示しない図柄が変動し、アニメーション等による演出が始まり、可動体５が液晶表示器６の前面に移動することにより演出を盛り上げることが可能である。
【００１４】
パチンコ機１は、大当たり時に特別な状態となり、入賞装置１０が開閉し、発射ハンドル２を回転させ遊技球８を右に発射することで、遊技球８を入賞装置１０に入賞させ、遊技者が多くの出球を獲得する遊技機である。
【００１５】
パチンコ機１は、入賞装置１０に誘導するルートを内部に形成した右打ち誘導ルート４が樹脂により形成され、盤面３の前面に取り付けられている。入賞装置１０は、図示しない多数の釘が配置される盤面３の一部を切り抜き、その切り抜きに合わせビスにより前面からの取り付け固定が可能である。
【００１６】
尚、入賞装置１０は、盤面３の前面右側に設けられているが、取り付ける場所は盤面３上であれば限定することなく、盤面３上方に設けることも可能であり、始動口７の下方中央に設けても良く、また右側上方に設けても良い。特に、入賞装置１０は、薄型で小型化されているため盤面３の前面の位置であれば何処でも前面からの取付が可能である。また、入賞装置１０は、センター役物９と一体に設けることも可能である。
【００１７】
次に、図２乃至図９を参照し、入賞装置１０の構造及び作用を説明する。最初に、図２乃至図４を参照し入賞装置１０の構造について説明する。図２は、実施形態の入賞装置１０の正面側から現した斜視図である。入賞装置１０は、上述した盤面３に入賞装置１０を取付ける取付盤２０に裏面側から通路ボックス６０がビスで取付けられている。通路ボックス６０は、箱状のボックス筐体６１の上方にて玉が転動するように第１球通路部６２及び第２球通路６４が正面から見て左に向かって下り勾配の傾斜の球通路が設けられている。
【００１８】
また、通路ボックス６０は、開閉部４０が閉塞状態のときに、第１球通路部６２、第２球通路６４と連通する開閉球通路部４１も正面から見て左に向かって下り勾配の傾斜の球通路を形成する。また、開閉部４０の下方には、遊技球８が入賞するのを検知する第１近接センサーＳ１が内蔵される。また、ボックス筐体６１は、入賞装置１０の開閉部４０と対面する位置に、遊技球８が転動する方向から一部傾斜し、切り欠いた切り欠き部６３が設けられている。切り欠き部６３は、開閉部４０が閉塞した際、遊技球８が団子状に詰まることがないように遊技球８を均す機能を備えている。また、切り欠き部６３は、一部傾斜させることにより三角形状に球が詰まることはない。
【００１９】
図３は、実施形態の入賞装置１０を背面側から現した斜視図である。入賞装置１０は、背面に、盤面３へ入賞装置１０を取付ける取付盤２０が設けられている。取付盤２０は、薄型化を図るために、各部品を収納する箇所を設けている。例えば、取付盤２０は、盤面３に向かって凹状に形成した第１ソレノイド収納部２２、第２ソレノイド収納部２１、開閉部収納部２３及び近接センサー収納部２７を備えている。
【００２０】
また、近接センサー収納部２７は、第２近接センサーＳ２及び第３近接センサーＳ３を内蔵し、第２近接センサーＳ２及び第３近接センサーＳ３は、第４球通路６６（図６）及び第５球通路６７（図６）を通過する遊技球８を検知している。また、第２近接センサーＳ２及び第３近接センサーＳ３は、センサー第１固定部８０により固定され、遊技球８が通過可能な通し孔である第２通過孔８２及び第３通過孔８３が設けられている。
【００２１】
図４は、実施形態の入賞装置１０の主要な部品を現す分解斜視図である。入賞装置１０は、主に上述した取付盤２０及び通路ボックス６０から構成されている。そして、取付盤２０は、第２検出孔Ｓ２ａを備えた第２近接センサーＳ２、第３検出孔Ｓ３ａを備えた第３近接センサーＳ３、センサー第１固定部８０、電飾基板８４を設けている。また、取付盤２０は、第４球通路６６及び第５球通路６７と連通し、通し孔である第２通過孔２４及び第３通過孔２５が設けられている。また取付盤２０は、盤面３に向かって凹状に形成した第１ソレノイド収納部２２、第２ソレノイド収納部２１、開閉部収納部２３及び近接センサー収納部２７を備えている。
【００２２】
通路ボックス６０は、主に開閉部４０、リンク部３３、上下作動片３４、第１ソレノイドＬ１、第１検出孔Ｓ１ａを備えた第１近接センサーＳ１、左右作動片３１及び第２ソレノイドＬ２が内蔵されている。
【００２３】
開閉部４０は、上方に開閉球通路部４１と、球噛みをなくすため前面に下り勾配を持った傾斜部４４を備えている。傾斜部４４の先端部４５（図８）は、球噛みが起きないように円弧状になっている。
また開閉部４０は、軸支部４２を軸にして回転し、開閉球通路部４１が前後に移動する。第１ソレノイドＬ１は、上下作動片３４のソレノイド嵌合片３５に嵌合している。上下作動片３４は、中間部に突起３７を設け、その突起３７とリンク連結部４３（図１０）が連結されている。そして、第１ソレノイドＬ１の上下動に応じて開閉球通路部４１が前後に移動する。傾斜部４４は、切り欠き部６３と相まって玉詰まりや球噛みの防止が可能であるため、入賞装置１０を薄型に構成することが容易となっている。
【００２４】
左右作動片３１は、下方にてリンク部３３と連結され、リンク部３３は、中間にて第２ソレノイドＬ２と連結されている。リンク部３３は、リンク軸支部３６（図６）を中心に回転し、第２ソレノイドＬ２左右移動に応じて左右作動片３１が左右に移動する。
【００２５】
次に、図５乃至図１０を参照し入賞装置１０の遊技球８が入賞する作用について説明する。図５（Ａ）は、実施形態の入賞装置１０の開閉部４０が閉塞した様子を示し、入賞装置１０上を遊技球８が転動する様子を正面から現した概要図である。図５（Ｂ）は、実施形態の入賞装置１０の開閉部４０が閉塞した様子を示し、入賞装置１０上を遊技球８が転動する様子を平面から現した概要図である。
【００２６】
図５に示すように、入賞装置１０は、盤面３へ取付盤２０の盤面固定孔２６にビスにより下方を水平にして取り付ける。盤面３に取り付けられた入賞装置１０は、開閉部４０が閉塞している場合には、第１球通路６２、開閉部４０の開閉球通路部４１及び第２球通路６４により形成する通路は、正面から見て左に向かって下り勾配の５度から７度程度の傾斜が設けられている。
これにより、入賞装置１０は、入賞装置１０上に転動してきた遊技球８を正面から見て右から左方向に転動させることが可能である。
【００２７】
図６（Ａ）は、実施形態の入賞装置１０の開閉部４０が開いた様子を示し、入賞装置１０の通路ボックス６０内部を遊技球８が転動する様子を背面から現した概要図である。図６（Ｂ）は、実施形態の入賞装置１０の開閉部４０が開いた様子を示し、入賞装置１０の通路ボックス６０内部を遊技球８が転動する様子を平面から現した概要図である。
【００２８】
図７（Ａ）は、実施形態の入賞装置１０を一部切断し、入賞装置１０の開閉部４０が開いた様子を正面から現した概要図である。図７（Ｂ）は、実施形態の入賞装置１０を一部切断し、入賞装置１０の開閉部４０が開いた様子を左側面から現した概要図である。図８（Ａ）実施形態の開閉部４０を一部切断し、入賞装置１０の開閉部４０が閉じた様子を左側面から現した概要図である。図８（Ｂ）実施形態の開閉部４０を一部切断し、入賞装置１０の開閉部４０が開いた様子を左側面から現した概要図である。
【００２９】
図８（Ａ）に示すように、開閉部４０が閉じている状態では、開閉部４０の作用孔４６の下方に掛かっていた突起３７により固定されている。
図６乃至図８に示すように、第１ソレノイドＬ１は、通電されるとソレノイド嵌合片３５に嵌合している電磁ソレノイドが上方に移動し、上下作動片３４の突起３７も同じく上方へ移動する。そして、図６、図７及び図８（Ｂ）に示すように、開閉部４０の作用孔４６の上方に移動することにより、軸支部４２を軸にして開閉部４０は回転し、開閉球通路部４１が図７（Ｂ）及び図８（Ｂ）に示すように盤面３方向（図６、Ｙ軸方向）に移動する。
そして、入賞装置１０は、開閉球通路部４１の傾斜部４４と、通路ボックス６０の切り欠き部６３の間に空間が設けられ、この空間から遊技球８が通路ボックス６０内に入り込む。
【００３０】
以上の機構により、開閉部４０は、上下する第１ソレノイドＬ１の作用が、盤面３へ向かって前後への動きへとリンクした機構としていることにより、入賞装置１０の薄型化が実現されている。また、図６に示すように直方体状の駆動源（駆動部）となる第１ソレノイドＬ１及び第２ソレノイドＬ２の長手方向の軸Ｘ１、軸Ｘ２を、Ｘ軸と平行すなわち取付盤２０に対して平行に設けることにより、盤面３方向のＹ軸方向に伸びること無く、盤面３に対して薄型の入賞装置１０を構成することが可能である。
【００３１】
また、図６（Ｂ）の破線の箇所に示すように、盤面３から突出した通路ボックス６０内にも第１ソレノイドＬ１及び第２ソレノイドＬ２が収納されることにより、盤面３の裏面方向（Ｙ軸方向）に延びることなく薄型の入賞装置１０を構成することが可能である。
【００３２】
図９は、実施形態の入賞装置１０が遊技球８を受け入れる様子を示し、入賞装置１０の通路ボックス６０内部を遊技球８が転動する様子を背面から現した概要図である。
図６及び図９を参照し説明すると、通路ボックス６０内に入賞した遊技球８は、第１近接センサーＳ１に向かって傾斜するセンサー誘導路６８を転動し、第１近接センサーＳ１を通過し、その第１近接センサーＳ１により遊技球８の通過が検知され、第３球通路６５を転動する。
【００３３】
また、第１近接センサーＳ１も長手方向の軸Ｘ３を、Ｘ軸と平行すなわち取付盤２０に対して平行に設けることにより、盤面３方向（Ｙ軸方向）に伸びること無く、盤面３に対して薄型の入賞装置１０を構成することが可能である。
【００３４】
次に、落下した遊技球８は、左右作動片３１の球誘導片３２の傾斜に沿って第４球通路６６に誘導される。そして、遊技球８は、第４球通路誘導片７１に誘導され上述した第３通過孔２５（図４）を通過し、第３近接センサーＳ３（図４）により検知される。
また、左右作動片３１は、第２ソレノイドＬ２が通電されていないため、左右作動片３１の球誘導片３２が定位置に位置し、第５球通路６７を閉塞し、遊技球８が通過できない状態としている。
【００３５】
図１０は、実施形態の入賞装置１０の開閉部４０が開いた様子を示し、更に、左右作動片３１が作動した状態の場合における通路ボックス６０内部を遊技球８が転動する様子を背面から現した概要図である。
【００３６】
上述したように、入賞装置１０の開閉部４０が開き、遊技球８が第３球通路６５を転動する。このとき、第２ソレノイドＬ２が通電されると、リンク部３３が、リンク軸支部３６を軸にし、図面の左方向に移動する。そのリンク部３３の移動に伴い、左右作動片３１が同じく左方向に移動し、球誘導片３２が第５球通路６７から退避した状態となる。開放された第５球通路６７は、第３球通路６５から自由落下により落下する遊技球８を受け入れている。第５球通路６７を通過した遊技球８は、第５球通路誘導片７２に誘導され上述した第２通過孔２４（図４）を通過し、第２近接センサーＳ２（図４）により検知される。
【００３７】
以上の構成によって、本発明の入賞装置１０は、盤面３の前面から取り付けることが可能であり、組み立て作業時が容易となる。また、図７に示すようにｔ１の厚みは１０ｍｍ及びｔ２の厚みは１８ｍｍと薄型に入賞装置１０が形成することが可能であるため、特に盤面側の厚みが薄いため、盤面３の裏面に可動体５を取り付けるスペースを確保することが可能である。
【００３８】
次に、図１１を参照し他の実施形態を現したパチンコ機１００に設けられる入賞装置１１０が示されている。図１１は、上述したパチンコ機１のうちセンター役物１０９と、盤面１０３と、裏ユニット１１１との部分を取り出したパチンコ機１００の一部を示している。
【００３９】
センター役物１０９は、発射された遊技球８を誘導し、センター役物１０９から始動口１０７へ入賞させる機能と、右打ちにより誘導枠１１４を介して誘導した遊技球８を入賞装置１１０へと導く機能を備えている。また、入賞装置１１０は、取付部１１７を介してセンター役物１０９と一体となり、前面から盤面１０３に取り付け固定される。
【００４０】
盤面１０３は、樹脂や木材で板状に形成し、図示しない釘が配置され、また金属で形成した外レール１１２と内レール１１３を備えている。また、盤面１０３は、入賞装置１１０の後部が挿入されるように切り抜いた切抜き部１１６及び液晶表示器６（図１）を視認できるように切り抜いた液晶透視部１１５を備えている。
【００４１】
また、裏ユニット１１１は、パチンコ機１００の内枠に一体に設けられるか又は組み付けられ構成されている。裏ユニット１１１は、モータやソレノイドを備えた可動体１０５（ａ、ｂ、ｃ、ｄ、ｅ、ｆ、ｇ、ｈ、ｉ）が複数個設けられている。このように、本発明では、入賞装置１１０が、薄型であるため、センター役物１０９と、盤面１０３も薄型化され、空間を多く確保する事が可能であるため、可動体１０５を複数設けることが可能となった。また、可動体１０５（ａ、ｂ、ｃ、ｄ、ｅ、ｆ、ｇ、ｈ、ｉ）は、場所を選ばず盤面３の裏面に設けることが可能である。
【００４２】
尚、左右作動片３１が左方向に移動する場合には、パチンコ機１、１００の遊技の中で、第２近接センサーＳ２の遊技球８の検知によりＶ入賞とすることで、連続して時短又は確変状態となるなど特別な状態となるときに使用しても良い。
【００４３】
また、入賞装置１０、１１０は、所謂アタッカーだけで無く、左右作動片３１及び第２近接センサーＳ２は、始動口としての入賞装置１０として使用しても良い。
【００４４】
また、第１ソレノイドＬ１乃至第３ソレノイドＬ３は、電磁ソレノイドを使用し、電力を供給するとスライドする機構を備えた装置であるが、その他にもモータやリニア駆動等の装置であっても良い。
【００４５】
本発明の実施形態の説明においては、パチンコ機等を含む遊技機を一例にして説明したが、本発明はこれに限定されるものではなく、例えば、ゲームセンター等の遊技機やカジノマシン等にも本発明は適用可能である。
【符号の説明】
【００４６】
１、１００  パチンコ機
２  発射ハンドル
３  盤面
４  誘導ルート
５、１０５  可動体
６  液晶表示器
７、１０７  始動口
８  遊技球
９、１０９  センター役物
１０、１１０  入賞装置
２０  取付盤 
２１  第２ソレノイド収納部
２２  第１ソレノイド収納部
２３  開閉部収納部
２４  第２通過孔
２５  第３通過孔
２６  盤面固定孔
２７  近接センサー収納部
３１  左右作動片
３２  球誘導片
３３  リンク部
３４  上下作動片
３５  ソレノイド嵌合部
４０  開閉部
４１  開閉球通路部
４２  軸支部
４３  リンク連結部
４４  傾斜部
４５  先端部
４６  作用孔
６０  通路ボックス
６１  ボックス筐体
６２  第１球通路部
６３  切り欠き部
６４  第２球通路
６５  第３球通路
６６  第４球通路
６７  第５球通路
６８  センサー誘導路
７１  第４球通路誘導片
７２  第５球通路誘導片
８０  センサー第１固定部
８２  第２通過孔
８３  第３通過孔
８４  電飾基板
Ｓ１  第１近接センサー
Ｓ２  第２近接センサー
Ｓ３  第３近接センサー
Ｓ１ａ  第１検出孔
Ｓ２ａ  第２検出孔
Ｓ３ａ  第３検出孔
Ｌ１  第１ソレノイド
Ｌ２  第２ソレノイド
１１１  裏ユニット
１１２  外レール
１１３  内レール
１１４  誘導枠
１１５  液晶透視部
１１６  切抜き部
１１７  取付部
【図１】
2019195403.tif 000003
【図２】
2019195403.tif 000004
【図３】
2019195403.tif 000005
【図４】
2019195403.tif 000006
【図５】
2019195403.tif 000007
【図６】
2019195403.tif 000008
【図７】
2019195403.tif 000009
【図８】
2019195403.tif 000010
【図９】
2019195403.tif 000011
【図１０】
2019195403.tif 000012
【図１１】
2019195403.tif 000013